(57)【要約】【課題】必要なデータ以外を他の人に見られないようにすることにより、データのセキュリティを確保すること。【解決手段】観察者に対し画像を表示する画像表示装置において、ＣＰＵ１０１は、所定のアプリケーション・ソフトウェアの動作状態を検知し、その検知した動作状態に応じて、上記画像を表示動作する第１表示手段１１を動作させるか否かを表示制御部１０８により制御する。【選択図】    図１
2004258242.tif 000002
【特許請求の範囲】
【請求項１】
観察者に対し画像を表示する画像表示装置において、
所定のアプリケーション・ソフトウェアの動作状態を検知するアプリ状態検知手段と、
前記画像を表示動作する第１の表示手段と、
前記アプリ状態検知手段が検知した動作状態に応じて、前記第１の表示手段を動作させるか否かを制御する表示制御手段と、
を具備することを特徴とする画像表示装置。
【請求項２】
前記アプリ状態検知手段が検知する動作状態は、アプリケーション・ソフトウェアの起動状態であり、
前記表示制御手段は、前記アプリ状態検知手段がアプリケーション・ソフトウェアの起動を検知した時、前記第１の表示手段への前記起動したアプリケーション・ソフトウェアに係る画像の表示を許可状態に設定する、
ことを特徴とする請求項１に記載の画像表示装置。
【請求項３】
前記アプリ状態検知手段が検知する動作状態は、アプリケーション・ソフトウェアの終了動作状態であり、
前記表示制御手段は、前記アプリ状態検知手段がアプリケーション・ソフトウェアの終了動作を検知した時、前記第１の表示手段への前記終了したアプリケーション・ソフトウェアに係る画像の表示を不許可状態に設定する、
ことを特徴とする請求項１に記載の画像表示装置。
【請求項４】
前記アプリ状態検知手段が検知する動作状態は、アプリケーション・ソフトウェアに係るウインドの全画面表示状態であり、
前記表示制御手段は、前記アプリ状態検知手段がアプリケーション・ソフトウェアに係るウインドの全画面表示状態を検知した時、前記第１の表示手段への前記全画面表示したアプリケーション・ソフトウェアに係る画像の表示を許可状態に設定する、
ことを特徴とする請求項１に記載の画像表示装置。
【請求項５】
前記表示制御手段は、
許可状態に設定したアプリケーション・ソフトウェアに係る画像のみを前記第１の表示手段に表示させる
ことを特徴とする請求項２又は４に記載の画像表示装置。
【請求項６】
前記アプリ状態検知手段が検知する動作状態を各アプリケーション・ソフトウェア毎に設定する状態設定手段を更に具備することを特徴とする請求項１に記載の画像表示装置。
【請求項７】
前記アプリ状態検知手段が検知する動作状態を各画像データ毎及び／又は前記画像データを格納するディレクトリ毎に設定する状態設定手段を更に具備することを特徴とする請求項１に記載の画像表示装置。
【請求項８】
前記アプリ状態検知手段が検知する動作状態を各操作者毎に設定する状態設定手段を更に具備することを特徴とする請求項１に記載の画像表示装置。
【請求項９】
前記状態設定手段で設定されたアプリケーション・ソフトウェアの動作状態を記憶する状態記憶手段を更に具備することを特徴とする請求項６乃至８の何れかに記載の画像表示装置。
【請求項１０】
前記状態記憶手段は、可搬型記憶媒体であることを特徴とする請求項９に記載の画像表示装置。
【請求項１１】
前記第１の表示手段への画像表示をオン／オフするスイッチを更に具備し、
前記スイッチがオンされた状態であり且つ前記表示制御手段が前記第１の表示手段への表示を許可状態に設定した画像のみ、前記第１の表示手段へ表示する、
ことを特徴とする請求項２又は４に記載の画像表示装置。
【請求項１２】
当該画像表示装置の操作者に対して画像を表示動作する第２の表示手段を更に具備し、
前記表示制御手段は、不許可状態に設定したアプリケーション・ソフトウェアに係る画像を少なくとも前記第２の表示手段に表示させる、
ことを特徴とする請求項３に記載の画像表示装置。
【請求項１３】
コンピュータに接続された外部表示装置に出力する画像データを制御するプログラムであって、
前記コンピュータに、
前記コンピュータで動作しているアプリケーション・ソフトウェアの動作状態を検知するアプリ状態検知機能と、
前記アプリ状態検知機能が検知した動作状態に応じて、前記外部表示装置へ出力する画像データを制御する表示制御機能と、
を実現させるためのプログラム。
【請求項１４】
前記アプリ状態検知機能が検知する動作状態は、アプリケーション・ソフトウェアの起動状態であり、
前記表示制御機能は、前記アプリ状態検知機能がアプリケーション・ソフトウェアの起動を検知した時、前記外部表示装置へ画像データを出力する機能である、
ことを特徴とする請求項１３に記載のプログラム。
【請求項１５】
前記アプリ状態検知機能が検知する動作状態は、アプリケーション・ソフトウェアの終了動作状態であり、
前記表示制御機能は、前記アプリ状態検知機能がアプリケーション・ソフトウェアの終了動作を検知した時、前記外部表示装置への画像データの出力を終了する機能である、
ことを特徴とする請求項１３に記載のプログラム。
【請求項１６】
前記アプリ状態検知機能が検知する動作状態は、アプリケーション・ソフトウェアに係るウインドの全画面表示状態であり、
前記表示制御機能は、前記アプリ状態検知機能がアプリケーション・ソフトウェアに係るウインドの全画面表示状態を検知した時、前記外部表示装置へ画像データを出力する機能である、
ことを特徴とする請求項１３に記載のプログラム。
【発明の詳細な説明】
【０００１】
【発明の属する技術分野】
本発明は、会議、プレゼンテーション、展示施設等で複数の人に同時に映像情報を提示する画像表示装置、及び、コンピュータに接続された外部表示装置に出力する画像データを制御するプログラムに関する。
【０００２】
【従来の技術】
小規模な打ち合わせ、会議、大人数の会議、セミナー等で複数の人が同時に映像情報を共有する手段として、プロジェクタ、大画面表示装置等が活用されている。特にプロジェクタは持ち運びが可能で、参加者全員が同時に同じ資料を目にし内容を確認できるので、効率の良い会議や打ち合わせ、或いは、説得力のあるプレゼンテーションの実現に役立っている。
【０００３】
従来、プロジェクタの重量が手軽に運べる程軽くはなかったので、同一建物の部屋を移動する程度で携帯性は乏しかった。ただ最近では、電子機器の集積技術の発展等に伴い小型化、軽量化が進み、プロジェクタにおいてもコンパクト化により携帯できる商品が実現されつつある。
【０００４】
このような携帯性の向上に伴い、上記の従来の活用形態に加え、外出先に手軽に持ち出して、商談や提案に利用される活用シーンも広まりつつある。プロジェクタで投影することにより、所謂ノートパソコンの表示画面を不自然な姿勢で見せることなく、プレゼンテーションをスマートに行えるようになってきた。
【０００５】
プロジェクタに関する技術としては、前述したＬＥＤ光源の実用化がある。この光源により、プロジェクタのコンパクト化、携帯性を高めると共に、光源の点灯、安定化が迅速となりセットアップの時間短縮にも貢献している。
【０００６】
また、プロジェクタにメモリカード読み込み機能が搭載され、メモリカードに必要なデータを格納する事により、ノートパソコン等を共に持ち運ばなくても良くなった。
【０００７】
さらに最近では、プロジェクタにもネットワーク機能が搭載されつつある。無線又は有線ＬＡＮ機能を持ったもので、ネットワークを介して、サーバや自分のパソコン等から随時必要なデータをネットワーク経由で取り込み、プレゼンテーションに利用する事ができる。また、無線ＬＡＮの中継地点であるホットスポット（登録商標）がホテルの会議室、空港、ファーストフード店等に広まり、上記のネットワーク機能は更に利用し易くなってきている。
【０００８】
このように、プロジェクタの携帯性、機動性が高まることにより、各種設定が外出先において随時行われる機会が増えつつある。各種設定作業としては、明るさ、コントラスト等の基本設定等に加え、プレゼンテーションを行うデータの内容確認と選択、或いは、サーバ、自分のパソコンからのデータのダウンロード等がある。
【０００９】
この時、コンピュータ、或いはリモート・サーバのファイル類をディレクトリにより一覧表示させ、データ内容の確認を行ったりしながら、目的ファイルを選択するのが通常の手順であった。
【００１０】
また、このようなプロジェクタ等において、一つの表示手段を自動的にオン／オフする技術も知られている（例えば、特許文献１及び２参照）。
【００１１】
【特許文献１】
特開平１１−１６７３７５号公報
【００１２】
【特許文献２】
特開２００２−１８９５４８号公報
【００１３】
【発明が解決しようとする課題】
上述のように、画像表示装置がポータブルの場合、外出先にて使用されるケースが増加すると想定される。しかしながらこの時、プレゼンテーションデータの検索、内容の確認時において、見られたくないデータも投影表示され複数の他の人に見られてしまうため、そのようなデータのセキュリティについて問題があった。
【００１４】
上記特許文献１及び２に開示されている技術は、所定時間操作が無いことを条件にディスプレイに表示中の画面を消去するというものであり、このようなセキュリティ確保の目的には利用できない。
【００１５】
本発明は、上記の点に鑑みてなされたもので、必要なデータ以外を他の人に見られないようにすることにより、データのセキュリティを確保できる画像表示装置及びプログラムを提供することを目的とする。
【００１６】
【課題を解決するための手段】
上記の目的を達成するために、請求項１に記載の発明による画像表示装置は、
観察者に対し画像を表示する画像表示装置において、
所定のアプリケーション・ソフトウェアの動作状態を検知するアプリ状態検知手段と、
上記画像を表示動作する第１の表示手段と、
上記アプリ状態検知手段が検知した動作状態に応じて、上記第１の表示手段を動作させるか否かを制御する表示制御手段と、
を具備することを特徴とする。
【００１７】
この構成は、図１、図３、図４の（Ｂ）、図５の（Ａ）、図１１の（Ａ）、図１１の（Ｂ）、及び図１２に対応するものである。例えば、アプリ状態検知手段はＣＰＵ１０１、第１の表示手段は第１表示手段１１、表示制御手段はＣＰＵ１０１及び表示制御部１０８に相当する。
【００１８】
なお、本明細書中において、「アプリケーション・ソフトウェア」とは、文書の作成、数値計算など、ある特定の目的のために設計されたソフトウェアを意味する。
【００１９】
代表的なアプリケーション・ソフトウェアには、ワープロソフトや表計算ソフト、画像編集ソフト、データベースソフト、プレゼンテーションソフト、ゲーム、Ｗｅｂブラウザ、電子メールソフトなどがある。企業で使われる財務会計ソフトや人事管理ソフト、在庫管理ソフトなどもアプリケーション・ソフトウェアの一種である。更に、コンピュータ内のファイルやフォルダ（ディレクトリ）の名前や階層を確認するようなソフトウェア（例えば、マイクロソフト社のＷｉｎｄｏｗｓ（登録商標）におけるエクスプローラ）もアプリケーション・ソフトウェアに含めて考える。「アプリケーション・ソフトウェア」に含まれないソフトウェアとしてはＯＳ（基本ソフト）がある。具体的には、例えばＷｉｎｄｏｗｓ（登録商標）やＬｉｎｕｘ（商標）などがある。
【００２０】
即ち、この請求項１に記載の発明の画像表示装置によれば、所定のアプリケーション・ソフトウェアの状態検知により第１の表示手段の表示状態を切り替えることで、見られたくないデータのセキュリティ確保を行う。
【００２１】
また、請求項２に記載の発明による画像表示装置は、請求項１に記載の発明による画像表示装置において、
上記アプリ状態検知手段が検知する動作状態は、アプリケーション・ソフトウェアの起動状態であり、
上記表示制御手段は、上記アプリ状態検知手段がアプリケーション・ソフトウェアの起動を検知した時、上記第１の表示手段への上記起動したアプリケーション・ソフトウェアに係る画像の表示を許可状態に設定する、
ことを特徴とする。
【００２２】
この構成は、図１、図３、図４の（Ｂ）、図５の（Ａ）、図１１の（Ａ）、及び図１１の（Ｂ）に対応するものである。
即ち、この請求項２に記載の発明の画像表示装置によれば、アプリケーション・ソフトウェアの起動に応じて、第１の表示手段へその起動したアプリケーション・ソフトウェアに係る画像の表示を許可するので、アプリケーション・ソフトウェアが起動するまで画像が表示されることが無く、見られたくないデータのセキュリティを確保できる。
【００２３】
また、請求項３に記載の発明による画像表示装置は、請求項１に記載の発明による画像表示装置において、
上記アプリ状態検知手段が検知する動作状態は、アプリケーション・ソフトウェアの終了動作状態であり、
上記表示制御手段は、上記アプリ状態検知手段がアプリケーション・ソフトウェアの終了動作を検知した時、上記第１の表示手段への上記終了したアプリケーション・ソフトウェアに係る画像の表示を不許可状態に設定する、
ことを特徴とする。
【００２４】
この構成は、図１、図３、図４の（Ｂ）、図５の（Ａ）、図１１の（Ａ）、及び図１１の（Ｂ）に対応するものである。
即ち、この請求項３に記載の発明の画像表示装置によれば、アプリケーション・ソフトウェアの終了に応じて、第１の表示手段へのその終了したアプリケーション・ソフトウェアに係る画像の表示を不許可状態にするので、アプリケーション・ソフトウェアが終了したならば画像が表示されることが無く、見られたくないデータのセキュリティを確保できる。
【００２５】
また、請求項４に記載の発明による画像表示装置は、請求項１に記載の発明による画像表示装置において、
上記アプリ状態検知手段が検知する動作状態は、アプリケーション・ソフトウェアに係るウインドの全画面表示状態であり、
上記表示制御手段は、上記アプリ状態検知手段がアプリケーション・ソフトウェアに係るウインドの全画面表示状態を検知した時、上記第１の表示手段への上記全画面表示したアプリケーション・ソフトウェアに係る画像の表示を許可状態に設定する、
ことを特徴とする。
【００２６】
この構成は、図１、図３、図５の（Ａ）、図１１の（Ａ）、及び図１２に対応するものである。
即ち、この請求項４に記載の発明の画像表示装置によれば、プレゼンテーションを行う際の全画面表示状態を検知する事により第１の表示手段の表示状態を切り替えることで、見られたくないデータのセキュリティ確保を行う。
【００２７】
また、請求項５に記載の発明による画像表示装置は、請求項２又は４に記載の発明による画像表示装置において、
上記表示制御手段は、許可状態に設定したアプリケーション・ソフトウェアに係る画像のみを上記第１の表示手段に表示させることを特徴とする。
【００２８】
この構成は、図４の（Ｄ）に対応するものである。
即ち、この請求項５に記載の発明の画像表示装置によれば、許可状態に設定したアプリケーション・ソフトウェアに係る画像のみを表示するので、見られたくないデータのセキュリティを確保できる。
【００２９】
また、請求項６に記載の発明による画像表示装置は、請求項１に記載の発明による画像表示装置において、
上記アプリ状態検知手段が検知する動作状態を各アプリケーション・ソフトウェア毎に設定する状態設定手段を更に具備することを特徴とする。
【００３０】
この構成は、図１、及び図９の（Ｂ）に対応するものである。ここで、状態設定手段は、ＣＰＵ１０１，タッチパネル１１６，ペン３０，第２表示手段１２が相当する。
即ち、この請求項６に記載の発明の画像表示装置によれば、第１の表示手段の切り替えをアプリケーション・ソフトウェア毎に設定できる。
【００３１】
また、請求項７に記載の発明による画像表示装置は、請求項１に記載の発明による画像表示装置において、
上記アプリ状態検知手段が検知する動作状態を各画像データ毎及び／又は上記画像データを格納するディレクトリ毎に設定する状態設定手段を更に具備することを特徴とする。
【００３２】
この構成は、図１、図９の（Ａ）、図１０の（Ａ）、及び図１０の（Ｂ）に対応するものである。ここで、状態設定手段は、ＣＰＵ１０１，タッチパネル１１６，ペン３０，第２表示手段１２が相当する。
即ち、この請求項７に記載の発明の画像表示装置によれば、第１の表示手段の切り替えを各画像毎に設定できる。
【００３３】
また、請求項８に記載の発明による画像表示装置は、請求項１に記載の発明による画像表示装置において、
上記アプリ状態検知手段が検知する動作状態を各操作者毎に設定する状態設定手段を更に具備することを特徴とする。
【００３４】
この構成は、図１、及び図９の（Ｃ）に対応するものである。ここで、状態設定手段は、ＣＰＵ１０１，タッチパネル１１６，ペン３０，第２表示手段１２が相当する。
即ち、この請求項８に記載の発明の画像表示装置によれば、第１の表示手段の切り替えを各操作者毎に設定できる。
【００３５】
また、請求項９に記載の発明による画像表示装置は、請求項６乃至８の何れかに記載の発明による画像表示装置において、
上記状態設定手段で設定されたアプリケーション・ソフトウェアの動作状態を記憶する状態記憶手段を更に具備することを特徴とする。
【００３６】
この構成は、図１、図６の（Ａ）、図６の（Ｂ）、図６の（Ｃ）、及び図７に対応するものである。ここで、状態記憶手段は記憶装置１０４が相当する。
即ち、この請求項９に記載の発明の画像表示装置によれば、第１の表示手段の切り替えの設定を記憶・保存する事ができる。
【００３７】
また、請求項１０に記載の発明による画像表示装置は、請求項９に記載の発明による画像表示装置において、
上記状態記憶手段は、可搬型記憶媒体（メモリカード）であることを特徴とする。
【００３８】
この構成は、図１に対応するものである。ここで、可搬型記憶媒体はメモリカード４０が相当する。
即ち、この請求項１０に記載の発明の画像表示装置によれば、メモリカードを持ち運び、他の画像表示装置に設置することにより、その装置でも同様の第１の表示手段の切り替えの設定を用いた表示切替処理を行うことができる。
【００３９】
また、請求項１１に記載の発明による画像表示装置は、請求項２又は４に記載の発明による画像表示装置において、
上記第１の表示手段への画像表示をオン／オフするスイッチを更に具備し、
上記スイッチがオンされた状態であり且つ上記表示制御手段が上記第１の表示手段への表示を許可状態に設定した画像のみ、上記第１の表示手段へ表示する、
ことを特徴とする。
【００４０】
この構成は、図１、及び図１１の（Ａ）に対応するものである。ここで、スイッチは操作スイッチ１１９が相当する。
即ち、この請求項１１に記載の発明の画像表示装置によれば、スイッチのオン／オフにより、第１の表示手段を切り替える場合と従来の切り替えない場合との選択ができる。
【００４１】
また、請求項１２に記載の発明による画像表示装置は、請求項３に記載の発明による画像表示装置において、
当該画像表示装置の操作者に対して画像を表示動作する第２の表示手段を更に具備し、
上記表示制御手段は、不許可状態に設定したアプリケーション・ソフトウェアに係る画像を少なくとも上記第２の表示手段に表示させる、
ことを特徴とする。
【００４２】
この構成は、図１、図２の（Ａ）、及び図２の（Ｂ）に対応するものである。ここで、第２の表示手段は第２表示手段１２が相当する。
即ち、この請求項１２に記載の発明の画像表示装置によれば、第１の表示手段によって表示がされていない場合に、操作者は第２の表示手段で表示・設定ができる。第２の表示手段による表示は他の観察者には公開されないので、データのセキュリティを確保できる。
【００４３】
また、上記の目的を達成するために、請求項１３に記載の発明によるプログラムは、
コンピュータに接続された外部表示装置に出力する画像データを制御するプログラムであって、
上記コンピュータに、
上記コンピュータで動作しているアプリケーション・ソフトウェアの動作状態を検知するアプリ状態検知機能と、
上記アプリ状態検知機能が検知した動作状態に応じて、上記外部表示装置へ出力する画像データを制御する表示制御機能と、
を実現させるためのプログラム。
【００４４】
この構成は、図３、図４の（Ｂ）、図５の（Ａ）、図１１の（Ａ）、図１１の（Ｂ）、及び図１２に対応するものである。
即ち、この請求項１３に記載の発明のプログラムによれば、アプリケーションの状態検知により外部表示装置の表示状態を切り替えることで、見られたくないデータのセキュリティ確保を行う。
ここで、コンピュータとは、入力部（マウス、キーボード、タッチパネル等）、制御部（ＣＰＵ）、記憶部（ＲＡＭ、ディスク装置等）、出力部（表示装置、プリンタ等）で構成され、ソフトウェアの定義に従って実行、処理する装置を意味している。具体的には、パーソナルコンピュータ、サーバ装置、ＰＤＡ（Ｐｅｒｓｏｎａｌ  Ｄｉｇｉｔａｌ  Ａｓｓｉｓｔａｎｃｅ）等がある。
【００４５】
また、請求項１４に記載の発明によるプログラムは、請求項１３に記載の発明によるプログラムにおいて、
上記アプリ状態検知機能が検知する動作状態は、アプリケーション・ソフトウェアの起動状態であり、
上記表示制御機能は、上記アプリ状態検知機能がアプリケーション・ソフトウェアの起動を検知した時、上記外部表示装置へ画像データを出力する機能である、
ことを特徴とする。
【００４６】
この構成は、図３、図４の（Ｂ）、図５の（Ａ）、図１１の（Ａ）、及び図１１の（Ｂ）に対応するものである。
即ち、この請求項１４に記載の発明のプログラムによれば、アプリケーション・ソフトウェアの起動に応じて、外部表示装置へ画像データを出力するので、アプリケーション・ソフトウェアが起動するまで画像データが表示されることが無く、見られたくないデータのセキュリティを確保できる。
【００４７】
また、請求項１５に記載の発明によるプログラムは、請求項１３に記載の発明によるプログラムにおいて、
上記アプリ状態検知機能が検知する動作状態は、アプリケーション・ソフトウェアの終了動作状態であり、
上記表示制御機能は、上記アプリ状態検知機能がアプリケーション・ソフトウェアの終了動作を検知した時、上記外部表示装置への画像データの出力を終了する機能である、
ことを特徴とする。
【００４８】
この構成は、図３、図４の（Ｂ）、図５の（Ａ）、図１１の（Ａ）、及び図１１の（Ｂ）に対応するものである。
即ち、請求項１５に記載の発明のプログラムによれば、アプリケーション・ソフトウェアの終了に応じて、外部表示装置への画像データの出力を終了するので、アプリケーション・ソフトウェアが終了したならば画像が表示されることが無く、見られたくないデータのセキュリティを確保できる。
【００４９】
また、請求項１６に記載の発明によるプログラムは、請求項１３に記載の発明によるプログラムにおいて、
上記アプリ状態検知機能が検知する動作状態は、アプリケーション・ソフトウェアに係るウインドの全画面表示状態であり、
上記表示制御機能は、上記アプリ状態検知機能がアプリケーション・ソフトウェアに係るウインドの全画面表示状態を検知した時、上記外部表示装置へ画像データを出力する機能である、
ことを特徴とする。
【００５０】
この構成は、図３、図５の（Ａ）、図１１の（Ａ）、及び図１２に対応するものである。
即ち、請求項１６に記載の発明のプログラムによれば、プレゼンテーションを行う際の全画面表示状態を検知する事により外部表示装置の表示状態を切り替えることで、見られたくないデータのセキュリティ確保を行う。
【００５１】
【発明の実施の形態】
以下、本発明の実施の形態を図面を参照して説明する。
【００５２】
［第１の実施の形態］
図１は、本発明の第１の実施の形態に係る画像表示装置１０のブロック構成図である。本実施の形態に係る画像表示装置１０は、パーソナルコンピュータの機能を組み込んだプロジェクタである。
【００５３】
この画像表示装置１０は、ＣＰＵ１０１、ＲＯＭ１０２、ＲＡＭ１０３、記憶装置１０４、グラフィックアクセラレータ１０５、ＶＲＡＭ１０６、画像処理部１０７、表示制御部１０８、液晶パネル制御部１０９、液晶パネル１１０、光源１１１、光源制御部１１２、投影レンズ１１３、モニタ画像表示制御部１１４、モニタ１１５、タッチパネル１１６、ネットワークインタフェース部１１７、読取装置１１８、及びスイッチ１１９から構成されている。
【００５４】
ここで、ＣＰＵ１０１は、当該画像表示装置１０の各部の制御を行うものである。ＲＯＭ１０２は、ＣＰＵ１０１で実行されるＯＳやアプリケーション・ソフトウェアを記憶したメモリ、ＲＡＭ１０３は、ＣＰＵ１０１のワークエリアとして使用されるメモリであり、記憶装置１０４は、画像データファイル等の各種ファイルを記憶するものである。
【００５５】
グラフィックアクセラレータ１０５は、表示すべき画像データをビットイメージに展開するものであり、ＶＲＡＭ１０６は、その展開されたビットイメージを記憶するためのメモリである。画像処理部１０７は、このＶＲＡＭ１０６からビットイメージを読み出して必要な信号（水平同期信号、垂直同期信号、クロック信号、フレーム切替信号、等）と共に表示制御部１０８に供給するもので、表示制御部１０８は、それらを液晶パネル制御部１０９とモニタ画像表示制御部１１４とに供給するものである。
【００５６】
液晶パネル制御部１０９は、ビットイメージデータに応じて液晶パネル１１０を制御するものであり、光源１１１は、光源制御部１１２によってその明るさが制御され、液晶パネル１１０に表示された画像を、投影レンズ１１３を通して、図２の（Ａ）に示すように、該画像表示装置１０と別体に構成されたスクリーン２０に投影する。これらの液晶パネル制御部１０９、液晶パネル１１０、光源１１１、光源制御部１１２、投影レンズ１１３、及びスクリーン２０が、複数の観察者に公開表示する画像を投影表示する第１表示手段１１を構成する。
【００５７】
また、モニタ画像表示制御部１１４は、供給されたビットイメージデータに応じた画像をモニタ１１５に表示するものである。これらモニタ画像表示制御部１１４とモニタ１１５が、観察者のみが観察できるよう画像を表示する第２表示手段１２を構成する。
【００５８】
そして、このモニタ１１５上には、図２の（Ａ）及び（Ｂ）に示すように、タッチパネル１１６が配され、ペン３０操作によってオンされた位置を検出するようになっている。
【００５９】
ネットワークインタフェース部１１７は、有線ＬＡＮ又は無線ＬＡＮによって外部機器から画像データファイル等の各種ファイルを受信するためのものであり、読取装置１１８は、メモリカード４０に記憶されている画像データファイル等の各種ファイルを読み取るためのものである。これら受信した又は読み取ったファイルは、上記記憶装置１０４に格納される。
【００６０】
次に、このような構成の画像表示装置１０の動作を、ＣＰＵ１０１のメインフローチャートを示す図３を参照して説明する。
【００６１】
即ち、当該画像表示装置１０の不図示電源スイッチがオンされると、まず、当該画像表示装置１０の各部の初期設定を行い（ステップＳ１０１）、図４の（Ａ）に示すように、第２表示手段１２のモニタ１１５の画面領域１１５Ａに初期画面を表示する（ステップＳ１０２）。この初期画面は、記憶装置１０４内のファイルやフォルダ（ディレクトリ）の名前や階層を確認及び指定できるように、ファイルアイコンやファイル名などの画像選択情報を表示した画面である。なお、このとき、第１表示手段１１は非表示状態とされている。
【００６２】
そしてその後、タッチパネル１１６の操作待ちとなる（ステップＳ１０３）。
【００６３】
ここで、タッチパネル１１６の何らかの操作があったならば、ＣＰＵ１０１は、その操作が、第１表示手段１１で表示するべき即ちプレゼンテーションするデータ（以下、プレゼンデータと称する。）ファイルの選択操作であるか否かを判別する（ステップＳ１０４）。
【００６４】
プレゼンデータファイルの選択操作がなされたと判別した場合には、ＣＰＵ１０１は、その選択されたプレゼンデータファイル（プレゼンデータ１）及びそのプレゼンデータ１の処理に必要なＲＯＭ１０２に格納されたアプリケーション・ソフトウェアを起動し、小画面表示状態のウインドＡに割付ける（ステップＳ１０５）。そして、ＲＡＭ１０３に設けた不図示のアプリ１起動フラグを「１」にセットした上で（ステップＳ１０６）、表示制御ルーチンをコールする（ステップＳ１０７）。
【００６５】
図４の（Ｂ）は、この表示制御ルーチンのフローチャートを示す図である。即ち、この表示制御ルーチンにおいては、まず、上記ＲＡＭ１０３に設けたアプリ１起動フラグが「１」か否かをチェックし（ステップＳ１０７Ａ）、それが「１」であれば、表示制御部１０８により、第１表示手段１１の指定されたウインドＡ内に上記割り付けられたプレゼンデータ１を表示制御して（ステップＳ１０７Ｂ）、メインルーチンに戻る。
【００６６】
これにより、第２表示手段１２のモニタ１１５の画面領域１１５Ａには、図４の（Ｃ）に示すように、上記初期画面として表示されたファイルアイコンやファイル名などの画像選択情報を表示した画面を背景画像とし、その前面に表示された小画面表示状態のウインドＡにプレゼンデータ１の画像が表示される。
【００６７】
また、このときの第１表示手段１１のスクリーン２０に投影表示された画面領域２０Ａには、図４の（Ｄ）に示すように、ウインドＡに表示されるプレゼンデータ１のみの画像を全画面表示する。このように、本実施の形態では、全画面表示ボタンに関わらず、アプリケーション・ソフトウェア起動に応じて、第１表示手段１１に画像を全画面表示するものである。
【００６８】
一方、上記ステップＳ１０４において、タッチパネル１１６の操作がプレゼンデータファイルの選択操作ではないと判別した場合には、更に、それがウインドＡの終了ボタン操作であるか否かを判別する（ステップＳ１０８）。即ち、ウインドＡは、プレゼンデータ１の画面の他に、小画面表示ボタン、全画面表示ボタン、及び終了ボタンを表示しており、ここでは、ペン３０の操作により終了ボタンの選択操作が行われたかどうかを判別する。
【００６９】
ウインドＡ終了ボタン操作がなされたと判別した場合には、ＣＰＵ１０１は、その選択されたプレゼンデータ１及びそのアプリケーション・ソフトウェアを終了する（ステップＳ１０９）。そして、ＲＡＭ１０３に設けたアプリ１起動フラグを「０」にセットした上で（ステップＳ１１０）、前述したような表示制御ルーチンをコールする（ステップＳ１０７）。
【００７０】
この場合、表示制御ルーチンにおいては、上記ステップＳ１０７Ａでアプリ１起動フラグが「０」と判別し、表示制御部１０８により、第１表示手段１１を非表示に制御して（ステップＳ１０７Ｃ）、メインルーチンに戻ることになる。
【００７１】
これにより、第２表示手段１２のモニタ１１５の画面領域１１５Ａには、図４の（Ａ）に示したような初期画面が表示される。これに対して、第１表示手段１１はその投影表示が停止される。
【００７２】
また、上記ステップＳ１０８において、タッチパネル１１６の操作がウインドＡの終了ボタン操作ではないと判別した場合には、更に、それがウインドＡの全画面表示ボタン操作であるか否かを判別する（ステップＳ１１１）。
【００７３】
ウインドＡの全画面表示ボタン操作がなされたと判別した場合には、ＣＰＵ１０１は、ＲＡＭ１０３に設けた不図示の全画面フラグを「１」にセットした上で（ステップＳ１１２）、前述したような表示制御ルーチンをコールする（ステップＳ１０７）。
【００７４】
この場合には、アプリ１起動フラグは書き換えていないので、この表示制御ルーチンを実行したとしても、何ら表示状態が変化するものではない。
【００７５】
また、上記ステップＳ１１１において、タッチパネル１１６の操作がウインドＡの全画面表示ボタン操作ではないと判別した場合には、更に、それがウインドＡの小画面表示ボタン操作であるか否かを判別する（ステップＳ１１３）。
【００７６】
ウインドＡの小画面表示ボタン操作がなされたと判別した場合には、ＣＰＵ１０１は、ＲＡＭ１０３に設けた全画面フラグを「０」にセットした上で（ステップＳ１１４）、前述したような表示制御ルーチンをコールする（ステップＳ１０７）。
【００７７】
この場合にも、アプリ１起動フラグは書き換えていないので、この表示制御ルーチンを実行したとしても、何ら表示状態が変化するものではない。
【００７８】
そして、上記ステップＳ１１３において、タッチパネル１１６の操作がウインドＡの小画面表示ボタン操作でもないと判別した場合には、その操作に従った処理（本発明に直接関係しないので、その詳細は省略する。）を実行する（ステップＳ１１５）。そして、その後、上記ステップＳ１０３のタッチパネル１１６の操作待ちに戻る。
【００７９】
なお、本実施の形態では、ウインドＡの全画面表示ボタン又は小画面表示ボタンを操作しても何ら表示状態は変更されないので、上記ステップＳ１１１乃至ステップＳ１１４の動作は省略しても良いことは勿論である。
【００８０】
以上のように、本実施の形態に係る画像表示装置１０は、アプリ状態検知手段としてのＣＰＵ１０１により、所定のアプリケーション・ソフトウェアの動作状態を検知し、表示制御手段としてのＣＰＵ１０１及び表示制御部１０８により、その検知した動作状態に応じて、観察者に対して画像を投影表示する第１表示手段１１を表示状態と非表示状態とに切り替えるようにしているので、操作者以外の観察者に見られたくないデータのセキュリティ確保を行うことができるものである。
【００８１】
［変形例１］
本第１の実施の形態の第１の変形例を説明する。
【００８２】
即ち、本第１の実施の形態では、第１表示手段１１で投影表示する際、図４の（Ｄ）に示したように全画面表示するものとしたが、図４の（Ｃ）に示した第２表示手段１２と同様、小画面表示のままで表示しても良い。但し、この場合は、図４の（Ｅ）に示すように、ウインドＡの背景画像を、ファイルアイコンやファイル名などの画像選択情報を非表示にした画像とする。
【００８３】
［変形例２］
本第１の実施の形態の第２の変形例を説明する。
【００８４】
即ち、本第１の実施の形態では、第２表示手段１２で表示する際、図４の（Ｃ）に示したように選択されたプレゼンデータ１を小画面のウインドＡで表示したが、このプレゼンデータ１の画像は第１表示手段１１で投影表示されるので、図４の（Ｆ）に示すように、第２表示手段１２にファイルアイコンやファイル名などの画像選択情報のみを表示し、選択されたプレゼンデータ１の画像を非表示とするようにしても良い。この場合、第２表示手段１２では、選択されていることを示すためのマークを、例えば、色を特別な色にする等して識別可能に表示すると共に、小画面表示ボタン、全画面表示ボタン、終了ボタンは、フローティング表示する。あるいは、そのマークは、色に限定するものではなく、形状を変えても良いし、画面上の配置を変えるようにしても良い。
【００８５】
［変形例３］
本第１の実施の形態の第３の変形例を説明する。
【００８６】
即ち、本第１の実施の形態では、ウインドＡの全画面表示ボタン又は小画面表示ボタンを操作しても何ら表示状態は変更されないようにしたが、図５の（Ａ）に示すようにステップＳ１０７の表示制御ルーチンを変更することで、それらのボタン操作に応じた表示状態の変更を行うようにすることもできる。
【００８７】
即ち、まず、上記ＲＡＭ１０３に設けたアプリ１起動フラグが「１」か否かをチェックし（ステップＳ１０７Ａ）、それが「１」であれば、更に、上記ＲＡＭ１０３に設けた全画面表示フラグが「１」か否かをチェックする（ステップＳ１０７Ｄ）。なお、この全画面表示フラグは、上記ステップＳ１０１の初期設定で「０」にセットされており、前述したように、上記ステップＳ１１２の処理によって「１」に、また、上記ステップＳ１１４の処理で「０」にセットされるものである。
【００８８】
従って、プレゼンデータの選択操作の判別（ステップＳ１０４）に応じた処理の流れで該表示制御ルーチンがコールされた場合には、この全画面表示フラグは「０」にセットされているので、このステップＳ１０７ＤではＮＯと判別され、表示制御部１０８により、第１表示手段１１を非表示に制御して（ステップＳ１０７Ｃ）、メインルーチンに戻ることになる。これにより、第２表示手段１２のモニタ１１５の画面領域１１５Ａには、図４の（Ｃ）に示すように、上記初期画面として表示されたファイルアイコンやファイル名などの画像選択情報を表示した画面を背景画像とし、その前面に表示された小画面表示状態のウインドＡにプレゼンデータ１の画面が表示されるが、第１の表示手段１１は非表示である。
【００８９】
一方、ウインドＡの全画面表示ボタン操作の判別（ステップＳ１１１）に応じた処理の流れで該表示制御ルーチンがコールされた場合には、ステップＳ１１２の処理によりこの全画面表示フラグは「１」にセットされているので、上記ステップＳ１０７ＤではＹＥＳと判別され、表示制御部１０８により、第１表示手段１１の指定されたウインドＡ内に上記割り付けられたプレゼンデータ１を表示制御して（ステップＳ１０７Ｂ）、メインルーチンに戻る。これにより、第２表示手段１２のモニタ１１５の画面領域１１５Ａには、図５の（Ｂ）に示すように、ウインドＡに表示されるプレゼンデータ１のみの画像が全画面表示される。また、このときの第１表示手段１１のスクリーン２０に投影表示された画面領域２０Ａにも、図４の（Ｄ）に示すように、ウインドＡに表示されるプレゼンデータ１のみの画像が全画面表示される。
【００９０】
これに対して、ウインドＡの小画面表示ボタン操作の判別（ステップＳ１１３）に応じた処理の流れで該表示制御ルーチンがコールされた場合には、ステップＳ１１４の処理によりこの全画面表示フラグは「０」にセットされているので、上記ステップＳ１０７ＤではＮＯと判別され、表示制御部１０８により、第１表示手段１１を非表示に制御して（ステップＳ１０７Ｃ）、メインルーチンに戻ることになる。これにより、第２表示手段１２のモニタ１１５の画面領域１１５Ａには、図４の（Ｃ）に示すように、上記初期画面として表示されたファイルアイコンやファイル名などの画像選択情報を表示した画面を背景画像とし、その前面に表示された小画面表示状態のウインドＡにプレゼンデータ１の画面が表示される。しかしながら、第１の表示手段１１は、小画面表示を行うのではなく、非表示とされる。
【００９１】
このように、本第３の変形例では、アプリケーション・ソフトウェア起動と、全画面表示ボタンの操作の２つの条件が揃った時にのみ、第１表示手段１１（及び第２表示手段１２）に画像を全画面表示するものである。
【００９２】
なお、このように２つの条件が揃ったときに第１及び第２表示手段１１，１２を共に同様の表示とするのではなく、例えば解像度などが異なるようにしても良い。即ち、第２表示手段１２の表示は小画面表示のままとしても良い。
【００９３】
また、図１に参照番号１１９で示すように操作スイッチを設け、上記第１表示手段１１による表示を、本実施の形態で説明したように切替表示するか、常時表示とするかを選択できるようにしても良い。
【００９４】
［第２の実施の形態］
次に、本発明の第２の実施の形態を説明する。
【００９５】
本第２の実施の形態は、不揮発性の記憶装置１０４に表示手段設定テーブルを保存しておき、その内容に従って、第１表示手段１１（及び第２表示手段１２）の表示切替を制御するものである。
【００９６】
ここで、表示手段設定テーブルとしては、図６の（Ａ）乃至（Ｃ）に示すように、ユーザ毎、アプリケーション・ソフトウェア毎、及びファイル毎に別々の表示制御テーブルとして構成しても良いし、図７に示すように、それら設定項目を統合した形態の表示手段設定テーブルとして構成しても良い。以下の説明は、図７に示す統合型表示手段設定テーブルを例に行うものとする。
【００９７】
即ち、この統合型表示手段設定テーブルは、ユーザ毎に表示制御テーブルが構成されており、そのため、ヘッダに、ユーザ数と、各ユーザ毎のＩＤ及びテーブルエリアを示すポインタとが設定される。そして、各ユーザ毎の表示制御テーブルでは、操作権限を持ったユーザＩＤと、表示制御を行うアプリケーション・ソフトウェアのアプリケーション名とその所在地を含んだファイル名、及び許可フラグから構成される。この許可フラグは２ビットでなり、そのビット０はオンにより公開表示許可を示し、ビット１はオンにより全画面表示による公開表示許可を示すものである。個数は、アプリケーション名から許可フラグまでを１セットとした個数を示している。なお、「所在地」とは、階層化されたディレクトリ上においてのファイルの存在する場所のことであり、例えば、「ｃ：￥ｕｓｒ￥ｔａｔｏ￥ｄａｔａ１」等である。
【００９８】
この表示手段設定テーブルは、以下のようにして自動的に更新される。
即ち、本実施の形態に係る画像表示装置１０は、電源オン後、まず、第２表示手段１２のモニタ１１５に図８に示すような表示を行い、操作者が正しく、ユーザＩＤとパスワードをタッチパネル１１６より入力した場合にのみ動作するようになっている。この入力されたユーザＩＤにより、上記表示手段設定テーブルにおけるユーザＩＤが判明する。
【００９９】
なお、本実施の形態に係る画像表示装置１０は、正しいパスワードが入力された場合、第２表示手段１２のモニタ１１５に初期設定画面を表示して、コントラスト、明るさ等の初期設定を行い、その後、同じくモニタ１１５に、図９の（Ａ）に示すようなファイル選択画面を表示するようになっている。このようにファイルアイコンやファイル名などのファイル選択情報を表示したファイル選択画面をモニタ１１５に表示することにより、第１表示手段１１によって複数の観察者に対し表示する画像の元となるファイルの選択を促すものである。即ち、このファイル選択画面により、ディレクトリ間を移動したり、特定ファイルを指定するもので、ファイルを指定する操作を行えば、そのファイルを操作するアプリケーション・ソフトウェアが判明する。なお、ファイルは、上記第１の実施の形態で説明したように、メモリカード４０から読み取られたり、ネットワークを用いて、サーバ、個人所有のコンピュータからダウンロードしたりして、記憶装置１０４に格納されているものであるが、勿論、メモリカード４０やネットワークを介したサーバやコンピュータ上のファイルを直接指定することも可能である。
【０１００】
また、このようなファイル選択画面において、該ファイル選択画面の下部に選択メニューとして表示された例えば「編集」を指定すると、特に図示はしないが、「アプリケーション」、「操作者」等を選択可能にするポップアップメニューが表示される。図９の（Ｂ）はこのポップアップメニューで「アプリケーション」を選択した場合、また図９の（Ｃ）は同じく「操作者」を選択した場合に、第２表示手段１２のモニタ１１５に表示される画面を示している。これらの画面において、同様に「編集」を指定することでポップアップメニューが表示され、他の画面を選択できることは勿論である。
【０１０１】
そして、表示手段設定テーブルは、これら図９の（Ａ）乃至（Ｃ）に示すような選択画面において、ペン３０により、ファイル、アプリケーション・ソフトウェア、あるいは操作者を指定した上で、それらの選択画面の下部に選択メニューとして表示された「プロパティ」を指定することで、設定を行うことができるようになっている。
【０１０２】
例えば、図１０の（Ａ）は図９の（Ａ）の選択画面においてファイルを指定した場合、図１０の（Ｂ）は同じくディレクトリを指定した場合に、第２表示手段１２のモニタ１１５に表示される設定画面をそれぞれ示している。ディレクトリを指定した場合は、そのディレクトリに含まれるファイルに設定が適用される。どちらの場合も、ユーザＩＤとそのユーザが持つ権限（変更、実行、書き込み、読み取り）が表示されるが、それに加えて、表示公開するか、全画面表示したときのみ表示公開するか等のプロパティが表示される。必要に応じて、上記の表示公開許可、全画面表示の表示公開許可の判定を行い、許可、拒否の欄にチェックを行う。表示公開が選択されている場合はその該当アプリケーション・ソフトウェアが起動している時に、また、全画面表示の許可が選択されている場合はその該当アプリケーション・ソフトウェアが起動し且つそのウインドが全画面表示になっている時に、第１表示手段１１による表示が行われる。
【０１０３】
例えば、表示の明るさ、コントラスト等の初期設定を第２表示手段１２ではなく第１表示手段１１により投影表示しながら行いたい場合には、初期設定ファイルの表示公開許可欄をマーク（×印）し、また、複数の観察者にプレゼンテーションを行いたいファイルには全画面表示の公開表示許可欄をマークする。すると、詳細は後述しするようにして該表示手段設定テーブルに基づいて表示制御することにより、該画像表示装置を初期設定している場合と、指定ファイルの全画面によるプレゼンテーションを行っている場合とのみ第１表示手段１１による公開表示となり、他の場合は操作者だけが見ることのできる第２表示手段１２のモニタ１１５のみの表示となり、操作の煩わしさから開放され、また、セキュリティも自然に確保される。
【０１０４】
次に、図１１の（Ａ）を参照して、実際の表示出力の切り替え処理について説明する。この図は、本実施の形態の特徴部分である第１表示手段１１の表示切り替えについてのみ示すものであり、図示しないメインフローチャートに従って、実際のアプリケーション・ソフトウェアの起動や終了、アプリケーション・ソフトウェアでの操作に応じ動作がＣＰＵ１０１によって実行され、必要に応じてこの表示出力の切り替え処理がコールされるものである。なお、第２表示手段１２については、常時表示されることは言うまでも無い。
【０１０５】
まず、アプリケーション・ソフトウェアの起動又は終了の動作状態になったかを判断する（ステップＳ１５１）。動作状態となった場合は画像表示が許可状態と見なし、以下のステップＳ１５２、Ｓ１５３の処理に進む。即ち、操作スイッチ１１９がオンかどうかを判断し（ステップＳ１５２）、それがオフの場合は、表示出力の切り替え処理を行わない。これに対して、この操作スイッチ１１９がオンであれば、詳細は図１１の（Ｂ）を用いて後述するような第１表示制御ルーチンにて、表示手段設定テーブルと比較が行われ、条件が満たされれば、表示出力が切り替えられる（ステップＳ１５３）。
【０１０６】
その後、或いは上記ステップＳ１５１又はＳ１５２でＮＯと判別された場合、ウインドが全画面表示状態の変更になったかを判断する（ステップＳ１５４）。ここで、ウインドサイズの変更の場合は、画像表示が許可状態となる場合があるので、以下のステップＳ１５５、ステップＳ１５６の処理に進む。即ち、操作スイッチ１１９がオンかどうかを判断し（ステップＳ１５５）、それがオフの場合は、表示出力の切り替え処理を行わない。これに対して、この操作スイッチ１１９がオンであれば、詳細は図１２を参照して後述するような第２表示制御ルーチンにて、表示手段設定テーブルと比較が行われ、条件が満たされれば、表示出力が切り替えられる（ステップＳ１５６）。
【０１０７】
図１１の（Ｂ）は、上記ステップＳ１５３でコールされる第１表示制御ルーチンを示している。
【０１０８】
即ち、まず、ＯＳが元々管理しているＲＡＭ１０３のエリアより、起動状態が変化したアプリケーション名を取り出し（ステップＳ１５３Ａ）、更に、ユーザＩＤ，ファイル名を取り出す（ステップＳ１５３Ｂ）。そして、図７に示したような統合型の表示手段設定テーブルに該当するテーブルが存在するか検索する（ステップＳ１５３Ｃ）。この処理は、表示手段設定テーブルのヘッダ内にユーザのＩＤが一致するユーザの表示制御テーブルのアドレスを求め、次に、その表示手段設定テーブル内にてアプリケーション名、ファイル名が一致するものを検索することにより行う。ここで、一致するものがない場合には（ステップＳ１５３Ｄ）、表示出力はそのまま（切り替えない）なので処理を終了する。
【０１０９】
これに対して、一致するものがある場合は（ステップＳ１５３Ｄ）、それに対応して設定記憶されている公開表示許可フラグを確認し（ステップＳ１５３Ｅ）、該公開表示許可フラグがオンの場合は、さらに、この第１表示制御ルーチンがアプリケーション・ソフトウェアの起動によってコールされたのか、終了によってコールされたのかを判断する（ステップＳ１５３Ｆ）。
【０１１０】
そして、アプリケーション・ソフトウェアの起動によってコールされた場合には（ステップＳ１５３Ｆ）、表示制御部１０８により、画像処理部１０７の出力を第１表示手段１１（液晶パネル制御部１０９）に供給する（ステップＳ１５３Ｇ）。これにより、第１表示手段１１によって投影表示が行われる。
【０１１１】
また、アプリケーション・ソフトウェアの終了によってコールされた場合には（ステップＳ１５３Ｆ）、表示制御部１０８により、画像処理部１０７の第１表示手段１１（液晶パネル制御部１０９）への出力を停止することで、第１表示手段１１による投影表示をオフする（ステップＳ１５３Ｈ）。
【０１１２】
また、上記ステップＳ１５３Ｅにおいて、公開表示許可フラグがオフの場合は、何もしない、即ち表示出力はそのまま（切り替えない）として終了する。
【０１１３】
図１２は、上記ステップＳ１５６でコールされる第２表示制御ルーチンを示している。
【０１１４】
即ち、まず、ウインドサイズの変更したアプリケーション・ソフトウェアの変更したウインドサイズを取り出す（ステップＳ１５６Ａ）。この値もＯＳが管理するＲＡＭ１０３のエリアに格納されている。次に、この第２表示制御ルーチンが、全画面でない状態から全画面表示に変化したことによってコールされたのかを判定する（ステップＳ１５６Ｂ）。ここで、全画面表示に変化したことによってコールされた場合には、該当ユーザＩＤ、アプリケーション名、操作しているファイル名の項目が表示手段設定テーブルに存在するかを判定する（ステップＳ１５６Ｃ）。そして、存在する場合には（ステップＳ１５６Ｄ）、全画面表示による公開表示フラグがオンかを調べ（ステップＳ１５６Ｅ）、オンの場合には、表示制御部１０８により、画像処理部１０７の出力を第１表示手段１１（液晶パネル制御部１０９）に供給する（ステップＳ１５６Ｆ）。これにより、第１表示手段１１によって、全画面でウインドが投影表示される。
【０１１５】
なお、上記ステップＳ１５６Ｄにて表示手段設定テーブルに該当ユーザＩＤ、アプリケーション名、操作しているファイル名の項目が存在しないと判別された場合、及び上記ステップＳ１５６Ｅにて全画面表示による公開表示フラグがオンでないと判別された場合には、何もしない、即ち表示出力はそのまま（切り替えない）として終了する。
【０１１６】
一方、上記ステップＳ１５６Ｂにて、この第２表示制御ルーチンが、全画面でない状態から全画面表示に変化したことによってコールされたのではないと判別されたときには、逆に、全画面状態から全画面でない状態に変化したことによってコールされたのかを判定する（ステップＳ１５６Ｇ）。ここで、そうでない場合は何もしないで終了する。これに対し、全画面状態から全画面でない状態に変化したことによってコールされた場合には、該当ユーザＩＤ，アプリケーション名、操作しているファイル名の項目が表示手段設定テーブルに存在するかを判定する（ステップＳ１５６Ｈ）。そして、それら項目が存在する場合は（ステップＳ１５６Ｉ）、全画面表示による公開表示フラグがオンかを調べ（ステップＳ１５６Ｊ）、オンの場合には、表示制御部１０８により、画像処理部１０７の第１表示手段１１（液晶パネル制御部１０９）への出力を停止することで、第１表示手段１１による投影表示をオフする（ステップＳ１５６Ｋ）。勿論、この場合、第２表示手段１２のモニタ１１５にウインドが小画面表示されるのは言うまでもない。
【０１１７】
なお、上記ステップＳ１５６Ｉにて該当ユーザＩＤ，アプリケーション名、操作しているファイル名の項目が表示手段設定テーブルに存在しないと判別された場合、及び上記ステップＳ１５６Ｊにて全画面表示による公開表示フラグがオンでないと判別された場合には、何もしない、即ち表示出力はそのまま（切り替えない）として終了する。
【０１１８】
以上のように、本第２の実施の形態では、不揮発性の記憶装置１０４に表示手段設定テーブルを保存しておき、その内容に従って、第１表示手段１１の表示切替を制御するようにしているので、表示手段設定テーブルの内容を適宜設定し直すことにより、操作者所望の切り替えを簡単に実施することができる。
【０１１９】
なお、上記表示手段設定テーブルは、記憶装置１０４に格納されるものとして説明したが、メモリカード４０上に置いても良い。このようにした場合、メモリカード４０を画像ファイルと共に持ち運び、他の画像表示装置に設置することにより、その装置でもその表示手段設定テーブルを用いた表示切替処理を行うことができるようになる。
【０１２０】
以上、実施の形態に基づいて本発明を説明したが、本発明は上述した実施の形態に限定されるものではなく、本発明の要旨の範囲内で種々の変形や応用が可能なことは勿論である。
【０１２１】
例えば、第２表示手段１２は、画像表示装置１０に一体的に設けられているが、この第２の表示手段１２をケーブルや無線等により接続された外部表示装置として構成しても良い。
【０１２２】
また、第１表示手段１１を非表示（オフ）にする代わりに、第１表示手段１１をオンのままとし全面白色の画像をスクリーン２０に投影表示するようにしても良い。
【０１２３】
【発明の効果】
以上詳述したように、本発明によれば、必要なデータ以外を他の人に見られないようにすることにより、データのセキュリティを確保できる画像表示装置及びプログラムを提供することができる。
【図面の簡単な説明】
【図１】本発明の第１の実施の形態に係る画像表示装置のブロック構成図である。
【図２】画像表示装置の外観を示す図である。
【図３】画像表示装置のＣＰＵのメインフローチャートを示す図である。
【図４】（Ａ）は第２表示手段のモニタの画面領域に表示される初期画面を示す図、（Ｂ）は表示制御ルーチンのフローチャートを示す図、（Ｃ）は第２表示手段でのウインドＡの小画面表示の状態を示す図、（Ｄ）は（Ｃ）の表示が行われている際の第１表示手段の表示状態を示す図、（Ｅ）は（Ｃ）の表示が行われている際の第１の変形例における第１表示手段の表示状態を示す図であり、（Ｆ）は第２の変形例における第２表示手段でのウインドＡ小画面表示指定時の表示画面を示す図である。
【図５】（Ａ）は第３の変形例における表示制御ルーチンのフローチャートを示す図であり、（Ｂ）は第２表示手段でのウインドＡの全画面表示状態を示す図である。
【図６】本発明の第２の実施の形態に係る画像表示装置の表示手段設定テーブルとしてのユーザ毎、アプリケーション・ソフトウェア毎、及びファイル毎の表示制御テーブルを示す図である。
【図７】統合型の表示手段設定テーブルを示す図である。
【図８】ユーザＩＤ及びパスワードの入力用の画面を示す図である。
【図９】ファイル選択画面、アプリケーション選択画面、及び操作者選択画面を示す図である。
【図１０】（Ａ）は図９の（Ａ）の選択画面においてファイルを指定した場合の設定画面を示す図であり、（Ｂ）は同じくディレクトリを指定した場合の設定画面を示す図である。
【図１１】（Ａ）は第２の実施の形態における表示出力の切り替え処理のフローチャートを示す図であり、（Ｂ）は（Ａ）中の第１表示制御ルーチンの詳細を示す図である。
【図１２】図１１の（Ａ）中の第１表示制御ルーチンの詳細を示す図である。
【符号の説明】
１０…画像表示装置、１１…第１表示手段、１２…第２表示手段、２０…スクリーン、２０Ａ…画面領域、３０…ペン、４０…メモリカード、１０１…ＣＰＵ、１０２…ＲＯＭ、１０３…ＲＡＭ、１０４…記憶装置、１０５…グラフィックアクセラレータ、１０６…ＶＲＡＭ、１０７…画像処理部、１０８…表示制御部、１０９…液晶パネル制御部、１１０…液晶パネル、１１１…光源、１１２…光源制御部、１１３…投影レンズ、１１４…モニタ画像表示制御部、１１５…モニタ、１１５Ａ…画面領域、１１６…タッチパネル、１１７…ネットワークインタフェース部、１１８…読取装置、１１９…操作スイッチ。
【図１】
2004258242.tif 000003
【図２】
2004258242.tif 000004
【図３】
2004258242.tif 000005
【図４】
2004258242.tif 000006
【図５】
2004258242.tif 000007
【図６】
2004258242.tif 000008
【図７】
2004258242.tif 000009
【図８】
2004258242.tif 000010
【図９】
2004258242.tif 000011
【図１０】
2004258242.tif 000012
【図１１】
2004258242.tif 000013
【図１２】
2004258242.tif 000014